(57)【要約】【課題】光源部と本体部が簡単に連結でき、光源部の取り付け作業の容易な照明装置を提供する。【解決手段】照明器具１０００は、本体部１００に取り付けられる長手形状の板バネであるバネ部１３０であって、第１平坦部Ｌ１と、円弧形状の円弧部Ｅとを有し、第１平坦部Ｌ１で本体部１００に取り付けられるバネ部１３０を有する。また照明器具１０００は、光源部２００に取り付けられる連結金具２５０であって、円弧部Ｅが貫通するバネ挿入孔２５０ａ−１が形成され、第１平坦部Ｌ１の終わり付近における第４曲げ部Ｍ４の内側箇所Ｍ４−１を無負荷状態に対して変位させた状態で、バネ挿入孔２５０ａ−１の周縁が内側箇所Ｍ４−１と当接する連結金具２５０を備える。【選択図】図１２
2018037418.tif 000002
【特許請求の範囲】
【請求項１】
本体部と、
前記本体部に脱着可能に取り付けられる光源部と、
前記本体部と前記光源部とのどちらかに固定されて取り付けられる長手形状のバネ部であって、前記本体部と前記光源部とのどちらかに固定される固定部と、前記固定部が固定されていない前記本体部と前記光源部とのどちらかに向かって凸となる凸部とを有するバネ部と、
前記本体部と前記光源部とのうち前記固定部が固定されていない方に取り付けられ、前記凸部を摺動させる開口が形成された連結部と
を備えた照明装置。
【請求項２】
前記バネ部は、
前記凸部が、円弧形状に形成されている請求項１に記載の照明装置。
【請求項３】
前記連結部は、
前記凸部の前記摺動を規制するバネ受部を有する請求項１又は請求項２に記載の照明装置。
【請求項４】
前記本体部は、
被取付部に取り付けられる取付部を備えており、
前記取付部には、前記バネ部又は前記連結部のどちらかが取り付けられている請求項１から請求項３のいずれか一項に記載の照明装置。
【請求項５】
前記光源部は、前記取付部と対向する保持部を備えており、
前記保持部には、前記バネ部又は前記連結部のどちらかが取り付けられている請求項４に記載の照明装置。
【発明の詳細な説明】
【背景技術】
【０００１】
近年、蛍光灯用照明器具に変わって、ＬＥＤを光源とした照明器具が使用されている。ＬＥＤを使用する照明器具は、従来の蛍光灯用照明器具と同様に、天井などの被取付面に固定された本体部に、ＬＥＤが配置された光源部が脱着可能に固定されるものがある。
【０００２】
光源部と本体部との取付方法には、光源部が、本体部に設けられた窪みに挿入されて取り付けられる照明器具であって、光源部の側面に設けられたバネ部材が弾性変形しながら窪みに挿入され、窪み内部に設けられ光源部を固定する金具と係合し、光源部と本体部が連結されるものがある（例えば、特許文献１）。
また、点灯装置を備えた光源部が本体部に取り付けられたものもあり、点灯装置を備えた光源部の側面全長に溝部が形成され、本体部には光源部溝部全長と係合する爪部が設けられており、側面全長で係合することで、光源部の重量負荷を分散化し、爪部の変形防止を行なっているものもある（例えば、特許文献２）。
【先行技術文献】
【特許文献】
【０００３】
【特許文献１】特開２０１３−８０５９２号公報
【特許文献２】国際公開２０１０／０９５７１０号公報
【発明の概要】
【発明が解決しようとする課題】
【０００４】
特許文献１の照明器具は複数のバネ部材により光源部と本体部が連結されており、複数のバネ部材を同時に対応する固定金具に差し込まないとバネ部に応力がかかり、バネ部の変形や照明器具の故障をもたらすおそれがある。
また、特許文献２の照明器具は、側面全長にて、溝部と爪部と嵌合している。その為、光源部を本体部から取り外すときは、嵌合した全長を同時に押圧し溝部と、爪部との嵌合状態の解徐を要し、専用の治具が必要となる。
【０００５】
本発明では、光源部と本体部とが脱着可能な照明装置おいて、光源部と本体部が簡単に連結でき、光源部の取り付け作業の容易な照明装置の提供を目的とする。
【課題を解決するための手段】
【０００６】
この発明の照明装置は、
本体部と、
前記本体部に脱着可能に取り付けられる光源部と、
前記本体部と前記光源部とのどちらかに固定されて取り付けられる長手形状のバネ部であって、前記本体部と前記光源部とのどちらかに固定される固定部と、前記固定部が固定されていない前記本体部と前記光源部とのどちらかに向かって凸となる凸部とを有するバネ部と、
前記本体部と前記光源部とのうち前記固定部が固定されていない方に取り付けられ、前記凸部を摺動させる開口が形成された連結部と
を備えている。
【発明の効果】
【０００７】
本発明によれば、光源部と本体部とが脱着可能な照明装置おいて、光源部と本体部が簡単に連結でき、光源部の取り付け作業の容易な照明装置を提供できる。
【図面の簡単な説明】
【０００８】
【図１】実施の形態１を示す図で、照明器具１０００の斜視図。
【図２】実施の形態１を示す図で、照明器具１０００の分解斜視図。
【図３】実施の形態１を示す図で、本体部１００の斜視図。
【図４】実施の形態１を示す図で、光源部２００の斜視図。
【図５】実施の形態１を示す図で、本体部１００の拡大斜視図。
【図６】実施の形態１を示す図で、バネ部１３０の側面図。
【図７】実施の形態１を示す図で、バネ部１３０の斜視図。
【図８】実施の形態１を示す図で、光源部２００の拡大斜視図。
【図９】実施の形態１を示す図で、連結金具２５０の斜視図。
【図１０】実施の形態１を示す図で、はずれ止部２６０の斜視図。
【図１１】実施の形態１を示す図で、バネ部１３０の取付手順を示す図。
【図１２】実施の形態１を示す図で、バネ部１３０の拡大図。
【図１３】実施の形態１を示す図で、照明器具１０００の変形例である照明器具２０００の構成図を示す図。
【図１４】実施の形態１を示す図で、図３のＡ−Ａ断面図。
【図１５】実施の形態１を示す図で、図４のＢ−Ｂ断面図。
【図１６】実施の形態１を示す図で、光源部２００の端部を示す図。
【図１７】実施の形態１を示す図で、光源蓋部２４０の斜視図。
【図１８】実施の形態１を示す図で、図１１の（ｂ）を補足する図。
【発明を実施するための形態】
【０００９】
実施の形態１．
図１〜図１８を参照して実施の形態１の照明器具１０００（照明装置）の構成を説明する。実施の形態１では、本発明に係る照明器具の一例として、天井などの被取付部（以下、被取付部として天井を例に説明するが天井に限定されない）に取り付けられる、逆富士形の照明器具１０００について説明する。以下の説明において、便宜上、天井面側（被取付面側）を上面側とし、床面側（被取付面と反対側）を下面側として説明をおこなう。
【００１０】
図１は照明器具１０００の斜視図である。図２は図１に示す照明器具１０００の分解斜視図である。図３は、図１に示す本体部１００の斜視図である。図４は図１に光源部２００の斜視図である。
【００１１】
（照明器具１０００の構成）
図１、図２のように、照明器具１０００（照明装置）は、天井（被取付部）に当接するように設置される本体部１００と、本体部１００に脱着可能に取り付けられる光源部２００から構成される。光源部２００は本体部１００に対向するように脱着可能に取り付けられる。
【００１２】
（本体部１００）
図２のように、本体部１００は、照明器具１０００の外部から引き込まれた電源電線が接続される端子台１２０と、光源部２００を本体部１００に取り付ける（固定する）ためのバネ部１３０（照明装置用バネ）を備えている。
【００１３】
（凹部１１１、取付部１１２、光源固定部１１３、傾斜部１１４、蓋部１１５）
図３のように、本体部１００は、長手方向に沿って略中央部に凹部１１１が形成されている。図１４は凹部１１１を示すための図であり、図３の断面Ａ−Ａである。図５、図１４のように、凹部１１１の底辺側には天井に当接する取付部１１２が形成されている。開口部側（図１４）には光源部２００の一部が挿入されて固定される、光源固定部１１３（図３）が形成されている。光源固定部１１３は、光源部２００が挿入される光源挿入部１１３ａと、光源部２００を受ける光源受部１１３ｂから構成されている。光源挿入部１１３ａは図１４に示すように凹部１１１の両方の壁をなす縦板である。光源受部１１３ｂは図１４に示すように、光源挿入部１１３ａの上端であり傾斜部１１４の始まる箇所である。光源受部１１３ｂ（図１４）は、光源挿入部１１３ａの上端において光源部２００（カバー部２３０）と当接することで光源部２００を受ける。具体的には光源受部１１３ｂはカバー当接部２３０ｂ（図１６）と当接して光源部２００（カバー部２３０）を受ける。また図２、図１４のように、逆富士形の斜面に相当する傾斜部１１４が光源受部１１３ｂから形成されている。図２に示すように、本体部１００の両端には、凹部１１１端部及び傾斜部１１４端部を覆うように、蓋部１１５が取り付けられる。
【００１４】
（電源引込孔１１２ａ、固定孔１１２ｂ）
図３のように、本体部１００の取付部１１２には、バネ部１３０、端子台１２０が取り付く。また、取付部１１２には、商用電源供給用の電源線を引き込む電源引込孔１１２ａや、天井へ固定する為の固定孔１１２ｂが形成されている。
【００１５】
（光源部２００）
図４のように、光源部２００は、ＬＥＤユニット２１０（図４には示していない）、保持部２２０、カバー部２３０、光源蓋部２４０、連結金具２５０（連結部）、はずれ止部２６０、点灯装置２７０を備えている。
（１）ＬＥＤユニット２１０（図１５，図１６）は、複数のＬＥＤ（図示していない）と、この複数のＬＥＤが実装される基板とからなる。
（２）保持部２２０（後述する）は、ＬＥＤユニット２１０が取り付けられる。図１５は図４のＢ−Ｂ断面である。図１５に示すように保持部２２０は底板に相当する保持正面部２２０ａと、保持正面部２２０ａの両側の側板に相当する保持側面部２２０ｂからなる。（３）図１５のように、カバー部２３０は、保持部２２０にＬＥＤユニット２１０を覆うように取り付くとともに、ＬＥＤユニット２１０から照射される光を拡散制御する。
（４）光源蓋部２４０（図４、図１７）は、カバー部２３０の端部を覆う蓋である。
（５）連結金具２５０は、バネ部１３０と連結する。
（６）はずれ止部２６０（図１０）は、カバー部２３０が保持部２２０から外れることを防止する、カバー部２３０の外れ止めである。
（７）点灯装置２７０（図４）は、ＬＥＤユニット２１０を点灯させる装置である。
【００１６】
ＬＥＤユニット２１０は、照明器具１０００の長手方向と略同等となるように長尺になるように形成されている（図１）。また、ＬＥＤは基板に長尺方向へ並ぶように、一列あるいは複数列で配設されている。
【００１７】
保持部２２０（図８、図１５）は、前述のように断面がＬＥＤユニット２１０が取り付けられる保持正面部２２０ａ（図８）と、保持正面部２２０ａの両端部から垂直に突出した保持側面部２２０ｂ（図１５）から構成されており、長尺状に形成されている。また、保持正面部２２０ａのＬＥＤユニット２１０が取り付けられる面の背面（上面側）には、バネ部１３０と連結する連結金具２５０（図９）を取り付ける為の、連結金具取付台２２０ｃ（図４、図８）が形成されている。
【００１８】
（カバー部２３０）
カバー部２３０（図２、図１５、図１６）は、カバー爪部２３０ａ、カバー当接部２３０ｂ、カバー拡散部２３０ｃを備える。
（１）カバー爪部２３０ａは、図１５、図１６のように、保持側面部２２０ｂに係合して、保持側面部２２０ｂに取り付く。
（２）カバー当接部２３０ｂは、図１５のように保持正面部２２０ａと同レベル（上面方向でほぼ同じ高さ）に位置し、保持正面部２２０ａから外側へ広がる。
（３）カバー拡散部２３０ｃ（図１５）は、カバー当接部２３０ｂの外側端部から略円弧形状をなすように形成されてＬＥＤユニット２１０を覆う長尺状である。
【００１９】
（光源蓋部２４０、図４、図１７）
光源蓋部２４０（図１７）は、カバー部２３０のカバー当接部２３０ｂ、カバー拡散部２３０ｃ、保持正面部２２０ａとから構成される端部（図１６）に嵌まり込み、前記端部を塞いでいる。
【００２０】
（連結金具２５０）
連結金具２５０（図４、図８、図９）は、断面が略Ｌ形状（図１２）に形成されている。連結金具２５０は、バネ挿入部２５０ａと、金具固定部２５０ｂから形成されており、保持部２２０の連結金具取付台２２０ｃ（図８、図１２）に固定される。
【００２１】
（バネ挿入部２５０ａ）
図９のように、バネ挿入部２５０ａは、バネ部１３０を挿入する為に開口した、バネ挿入孔２５０ａ−１（開口）、バネ挿入孔２５０ａ−１から金具固定部２５０ｂ方向の箇所が内側に曲げられたバネ受部２５０ａ−２、及び、はずれ止部２６０を固定する為のはずれ止受部２５０ａ−３を有している。
【００２２】
（金具固定部２５０ｂ）
金具固定部２５０ｂ（図９）は、連結金具取付台２２０ｃ（図１２）に当接し固定されると共に、端部が外側（保持部２２０側）に曲げられたバネ摺動補助部２５０ｂ−１が形成されている。
【００２３】
（はずれ止部２６０）
はずれ止部２６０（図１０）は、保持部２２０（保持側面部２２０ｂ）とカバー部２３０との係合いが外れるのを防止する部材であり、嵌合部２６０ａが連結金具２５０に嵌合することで連結金具２５０に固定されている。はずれ止部２６０は、連結金具２５０を覆うように嵌り合う嵌合部２６０ａと、保持側面部２２０ｂとカバー爪部２３０ａを覆うように嵌めこまれる係合カバー部２６０ｂを有している。はずれ止部２６０は、嵌合部２６０ａのクリップ部２６１ａが連結金具２５０のはずれ止受部２５０ａ−３を挟むことで、連結金具２５０に係合する。また、図１５のように係合カバー部２６０ｂは、保持側面部２２０ｂとカバー爪部２３０ａとを挟み込んで、保持側面部２２０ｂとカバー爪部２３０ａとの係合が外れるのを防止する。
【００２４】
（点灯装置２７０）
点灯装置２７０（図４）は、端子台１２０（図３）を介して商用電力からの電力をＬＥＤユニット２１０に供給し、ＬＥＤユニット２１０を点灯させる装置である。点灯装置２７０は略直方体形状をした点灯装置本体部２７０ａと、端子台１２０と連結する電源コネクタ２７０ｂから構成されている。
【００２５】
（バネ部１３０）
バネ部１３０（図３、図５〜図７）は、取付部１１２（図５）に、ネジ１１６により固定される。バネ部１３０は光源部２００を固定する機能を有する（図１１、図１２で述べる）。
【００２６】
バネ部１３０は、ステンレス材料や、バネ鋼板などの弾性材料で形成された、長手形状の板バネである。バネ部１３０（照明装置用バネ）は図６のように、第１平坦部Ｌ１（平坦部）、第１曲げ部Ｍ１、第２平坦部Ｌ２、第２曲げ部Ｍ２、第３平坦部Ｌ３、第３曲げ部Ｍ３、第４平坦部Ｌ４、第４曲げ部Ｍ４、円弧部Ｅ、屈曲部Ｋを備える。また第１曲げ部Ｍ１、第２平坦部Ｌ２、第２曲げ部Ｍ２、第３平坦部Ｌ３、第３曲げ部Ｍ３（突起部）、第４平坦部Ｌ４、第４曲げ部Ｍ４、円弧部Ｅ、屈曲部Ｋは、円弧形状部を構成する。
（１）第１平坦部Ｌ１（固定部）は、長手形状の一方の端部から長手方向に向かう。第１平坦部Ｌ１はネジ１１６（図５）で取付部１１２に固定される。
（２）第１曲げ部Ｍ１は、第１平坦部Ｌ１の終わりに、第１曲げ半径Ｒ１で形成される。（３）第２平坦部Ｌ２は、第１曲げ半径Ｒ１で第１角度θ１に曲げられて第１平坦部Ｌ１から立ち上がる。第２平坦部Ｌ２は、可動の軸になる（図１１）。
（４）第２曲げ部Ｍ２は、第２平坦部Ｌ２の終わりに、第１曲げ半径Ｒ１と反対向きに第２曲げ半径Ｒ２で形成される。
（５）第３平坦部Ｌ３は、第２曲げ半径Ｒ２で鋭角の第２角度θ２に曲げられて延びる。（６）第３曲げ部Ｍ３は、第３平坦部Ｌ３の終わりに、第２曲げ半径Ｒ２と反対向きに第３曲げ半径Ｒ３で形成される。第３曲げ部Ｍ３は、光源部２００が本体部１００に装着完了となる直前に連結金具２５０のバネ受部２５０ａ−２に当たることで、円弧部Ｅの摺動を制御する。
（７）第４平坦部Ｌ４は、第３曲げ半径Ｒ３で鋭角の第３角度θ３に曲げられて延びる。（８）第４曲げ部Ｍ４は、第４平坦部Ｌ４の終わりに、第３曲げ半径Ｒ３と反対向きに第４曲げ半径Ｒ４で形成される。
（９）円弧部Ｅは、第４曲げ半径Ｒ４で鈍角の第４角度θ４に曲げられて第１平坦部Ｌ１の向かう長手方向に延びると共に第２平坦部Ｌ２の立ち上がる方向に凸となる円弧形状の部分である。円弧部Ｅは、連結金具２５０の開口縁部２５０ａ−１−１（図９）と当接して摺動する摺動部である。
（１０）屈曲部Ｋ（引っ掛け部）は、円弧部Ｅの端部が屈曲されたものであり、連結金具２５０の開口縁部２５０ａ−１−１に引っ掛けられる（図１１の（ｂ））。
【００２７】
第２平坦部Ｌ２は、バネ部１３０が光源部２００を取り付けするときの弾性作用の軸部である（後述の図１１、図１２）。
【００２８】
第４曲げ部Ｍ４の内側箇所Ｍ４−１（付近円弧形状部、図１２）は、バネ部１３０が光源部２００を保持したときに、連結金具２５０の開口縁部２５０ａ−１−１に当接する（後述の図１２）。
【００２９】
（バネ部１３０の個数）
バネ部１３０は、本体部１００の長手方向を二等分する中心軸１１７（図３）の左右に、各一個設けられる。各バネ部１３０は、固定部である第１平坦部Ｌ１が中心軸１１７を向き、屈曲部Ｋが蓋部１１５方向へ向くように配置される。よって、バネ部１３０は、外側方向（図１１の（ａ））へ開くように可動する。
【００３０】
（端子台１２０）
端子台１２０（図３）は、商用電源から供給される電力を光源部２００へ供給するものであり、点灯装置２７０の電源コネクタ２７０ｂと連結する端子台コネクタ１２０ａを備えている。
【００３１】
（光源部２００の装着作業）
次に、図１１を用いて、天井に取り付けられた本体部１００（バネ部１３０）に、作業者が光源部２００（連結金具２５０）を取り付ける作業を説明する。
図１１において、
（ａ）は、本体部１００に光源部２００が取り付けられる前の状態を示す。
（ｂ）は、作業者がバネ部１３０の円弧部Ｅの曲率が大きくなるように、バネ部１３０を弾性変形させた状態で光源部２００の連結金具２５０に屈曲部Ｋを連結した状態を示す。（ｃ）は、円弧部Ｅの裏側が連結金具２５０の開口縁部２５０ａ−１−１に対して摺動する状態を示す。
（ｄ）は、本体部１００に光源部２００が取り付けられた状態を示す。
【００３２】
（図１１の（ａ））
図１１の（ａ）において、本体部１００では取付部１１２にバネ部１３０の第１平坦部Ｌ１が当接してネジ１１６により固定されている（図５に同じ）。光源部２００は本体部１００に取り付けられていない状態である。
【００３３】
（図１１の（ｂ））
次に、図１１の（ｂ）において、バネ部１３０は、第２平坦部Ｌ２（可動軸）を回転の中心として、円弧部Ｅ（摺動部）が取付部１１２に対して垂直状態になるように弾性変形した状態である。作業者は、両方の連結金具２５０について、バネ挿入孔２５０ａ−１にバネ部１３０の屈曲部Ｋからバネ部１３０をくぐらせる。作業者は、バネ部１３０の屈曲部Ｋを、連結金具２５０のバネ挿入孔２５０ａ−１（図９）の開口縁部２５０ａ−１−１に引っ掛けて、光源部２００を本体部１００に吊り下げる。バネ部１３０は図３のように、２個のバネ部１３０が、本体部１００の両端部分に配置されており、図１８のように光源部２００は２個のバネ部１３０で本体部１００に対して略平行な状態で保持することができる。照明器具１０００の施工時のときであれば、作業者は図１８の状態で、両手あるいは片手で光源部２００を支持する必要なく、コネクタの接続作業などができる。
【００３４】
（図１１の（ｃ））
次に、図１１の（ｃ）において、作業者が光源部２００を上方（天井方向）に持ち上げると、バネ部１３０の円弧部Ｅの裏面が、バネ挿入孔２５０ａ−１の開口縁部２５０ａ−１−１に対して、バネの復元力により摺動する。このバネ部１３０（円弧部Ｅ）の摺動作用は、作業者が光源部２００を上方（天井方向）に持ち上げると、バネ部１３０は自ずと元の形状に戻ろうとすることによるが、作業者はバネ部１３０を気にすることなく、バネ部１３０は連結金具２５０に対して摺動しながら元の形状に戻る。
【００３５】
（図１１の（ｄ））
次に、図１１の（ｄ）において、作業者が、本体部１００の光源挿入部１１３ａ（図１４）に光源部２００のカバー爪部２３０ａの部分を差し込むと、カバー当接部２３０ｂが、光源受部１１３ｂに当接する。このときバネ部１３０は、光源部２００の装着状態が完了する直前では、第３曲げ部Ｍ３（摺動制御部、摺動抑制部）がバネ受部２５０ａ−２と当接し、円弧部Ｅの摺動が抑制される。そして作業者が光源部２００の本体部１００への差し込みを完了（光源部２００の装着完了）すると、バネ部１３０の第４曲げ部Ｍ４の内側箇所Ｍ４−１が、連結金具２５０の開口縁部２５０ａ−１−１と押し合う状態で、開口縁部２５０ａ−１−１に対して位置決めされる（図１２）。このとき、バネ部１３０が内側箇所Ｍ４−１で開口縁部２５０ａ−１−１を支持する際のバネ定数は、図１１の（ｂ）において屈曲部Ｋで光源部２００を支持する際のバネ定数に対して著しく大きい。これは、バネ部１３０では第１平坦部Ｌ１（固定）が本体部１００に固定されるので、第１平坦部Ｌ１を固定端とする片持ち梁として大まかに見積もることができる。バネ部１３０では、ほとんど弾性変形しない第１曲げ部Ｍ１と第４曲げ部Ｍ４との直線距離（スパン）は、第１曲げ部Ｍ１と屈曲部Ｋとの距離（スパン）の、例えば１／５〜１／６程度である。片持ち梁ではスパンはバネ定数に３乗で影響する。よって、第４曲げ部Ｍ４におけるバネ定数は、１／５であれば屈曲部Ｋにおけるバネ定数の１２５倍であり、１／６であれば屈曲部Ｋにおけるバネ定数の２１６倍である。このため、作業者が光源部２００を本体部１００への差し込みを完了すると、バネ部１３０の第４曲げ部Ｍ４の内側箇所Ｍ４−１が、連結金具２５０の開口縁部２５０ａ−１−１を支持することができる。つまり第４曲げ部Ｍ４の内側箇所Ｍ４−１で、光源部２００の自重を支持することができる。
【００３６】
（光源部２００の取り外し作業）
次に、光源部２００を本体部１００から取り外す方法について説明する。光源部２００の取り外し方法は図１１で述べた取り付け方法の逆の手順になる。
（１）図１１の（ｄ）のように、作業者は、光源部２００が本体部１００に取り付けられた状態から、光源部２００を略水平に引き下げる。
（２）作業者は、光源部２００を図１１の（ｃ）を経て（ｂ）の状態まで引き下げ、バネ部１３０の屈曲部Ｋを連結金具２５０のバネ挿入孔２５０ａ−１から外す。
（３）以上の手順で、作業者は、本体部１００から光源部２００を取り外す。
【００３７】
次に、取付時における、バネ部１３０の弾性作用（作用効果）に関して説明をする。図１２は、本実施の形態１の取付時における、バネ部１３０の第２平坦部Ｌ２（可動軸）の周辺の拡大図である。図１２において、点線は弾性変形していない状態（図１１の（ａ）の状態）のバネ部１３０（バネ部１３０ａとする）を示し、実線は内側箇所Ｍ４−１で光源部２００を保持している弾性変形状態（図１１の（ｄ）の状態）のバネ部１３０（バネ部１３０ｂとする）を示している。
【００３８】
図１２において、バネ部１３０ｂ（実線）では、内側箇所Ｍ４−１（黒丸で示した）が、バネ部１３０ａ（点線）の内側箇所Ｍ４−１相当箇所（バネ部１３０ｂ（実線）で内側箇所Ｍ４−１に印をつけてバネ部１３０ａ（点線）の状態に戻したときの印の位置）と比較すると、以下のようになる。つまりバネ部１３０ｂ（実線）は、第１平坦部Ｌ１の方向へ水平に寸法Ａ、下側方向に寸法Ｂだけ弾性変形した状態で、光源部２００（連結金具２５０）を保持している。
【００３９】
（バネ部１３０のへたりと弾性力との関係）
バネ部１３０は図１１の（ｂ）あるいは後述の図１３のように使用される。よってバネ部１３０にへたりが生じると図６における第２角度θ３が大きくなる方向に影響するが、この影響は図１２において寸法Ａが増加する方向に働き、結果としてへたりが生じた際のバネ部１３０が光源部２００（連結金具２５０）を支持する弾性力の低下を抑制できる。このように、バネ部１３０の形状的特徴によって、バネ部１３０に劣化（へたり）が発生しても、弾性力の低下をもたらすことなく（へたりにより、むしろ弾性力（たわみ））が増加する）、光源部２００を保持できる効果を有する。なお、連結金具２５０はバネ部１３０と連結するものであり、寸法Ａ、寸法Ｂがマイナスにならないものであれば、本実施の形態１以外の形状のものでも良い。
【００４０】
実施の形態１は、作業者が本体部１００に光源部２００を取り付ける際に、バネ部１３０の円弧部Ｅが光源部２００に設けられた連結金具２５０を復元力で自ら摺動する。そして、作業者が光源部２００を最終的な装着状態とする直前で、第３曲げ部Ｍ３が円弧部Ｅの摺動を抑制（制御）し、最後の装着時には、内側箇所Ｍ４−１位置における大きいバネ定数によって光源部２００を支持できる構成である。この構成によって、本体部１００と光源部２００とを確実に、かつ簡単に連結できる連結機構、及びその連結機構を備えた照明器具を提供できる。
またこの連結機構では、図１１の（ｂ）のように作業者の両手が自由になると共に、光源部２００を天井方向に持ち上げることで、内側箇所Ｍ４−１が摺動してバネ部１３０が元の形状に戻ろうとする。よって光源部２００の取り付け、及び取り外しの作業効率が向上する。
【００４１】
実施の形態１の照明器具１０００では、本体部１００への光源部２００の取り付けをバネ部１３０と連結金具２５０とで行うことができるので部品の削減を図ることができる。また照明器具１０００では専用治具なしで取付取り外しができるので作業性が向上する。
【００４２】
また、本実施の形態１では、逆富士形の照明器具１０００について説明をしたが、本体部と光源部が一体になっておらず、光源部を本体部に取り付けることが必要な照明器具であれば、埋込型、直付け型でもよく、天井スクエア型など略正方形状をしたものでもよい。
【００４３】
また、本実施の形態１では、光源部２００が図１８に示すように略平行に取り付けられる取付機構の説明をしたが、片側（図２の２個のバネ部１３０の一方）から取り付けを行なってもよい。
【００４４】
また、本実施の形態１では、バネ部１３０が照明器具１０００の長手方向へ２箇所配置される取付機構を説明したが、図１３に示す照明器具２０００のように、長手片側が引っ掛けによる係合で、もう一方がバネ部による取り付けであっても良い。なお照明器具２０００を示す図１３では、本体部及び光源部の構成が照明器具１０００と異なるため、本体部を本体部１００’と記し、光源部を光源部２００’と記している。
【００４５】
また、本実施の形態１では、対になるバネ部１３０がお互いに反対方向へ開くように可動する配置に関して説明をおこなったが、互いに向かい合って開くよう可動する配置でもよく、同じ方向へ開くような配置（例えば図３で２個のバネ部１３０が同じ方向（長手方向を示す矢印側）へ向く）しても良い。
【００４６】
なお、実施の形態１では本体部１００にバネ部１３０を設け、光源部２００に連結金具２５０を設ける仕様について説明を行なったが、本体部１００が連結金具２５０を備え、光源部２００がバネ部１０を備える仕様でもよい。
【符号の説明】
【００４７】
１０００，２０００  照明器具、１００  本体部、１１１  凹部、１１２  取付部、１１３  光源固定部、１１３ａ  光源挿入部、１１３ｂ  光源受部、１１４  傾斜部、１１５  蓋部、１１６  ネジ、１２０  端子台、１２０ａ  端子台コネクタ、１３０，１３０ａ，１３０ｂ  バネ部、２００  光源部、２１０  ＬＥＤユニット、２２０  保持部、２２０ａ  保持正面部、２２０ｂ  保持側面部、２２０ｃ  連結金具取付台、２２０ｃ−１  ネジ、２３０  カバー部、２３０ａ  カバー爪部、２３０ｂ  カバー当接部、２３０ｃ  カバー拡散部、２４０  光源蓋部、２５０  連結金具、２５０ａ  バネ挿入部、２５０ａ−１  バネ挿入孔、２５０ａ−１−１  開口縁部、２５０ａ−２  バネ受部、２５０ａ−３  はずれ止受部、２５０ｂ  金具固定部、２５０ｂ−１  摺動補助部、２６０  はずれ止部、２６０ａ  嵌合部、２６０ｂ  係合カバー部、２６１ａ  クリップ部、２７０  点灯装置、２７０ａ  点灯装置本体部、２７０ｂ  電源コネクタ、Ｌ１  第１平坦部、Ｌ２  第２平坦部、Ｌ３  第３平坦部、Ｌ４  第４平坦部、Ｍ１  第１曲げ部、Ｍ２  第２曲げ部、Ｍ３  第３曲げ部、Ｍ４  第４曲げ部、Ｅ  円弧部、Ｋ  屈曲部。
【図１】
2018037418.tif 000003
【図２】
2018037418.tif 000004
【図３】
2018037418.tif 000005
【図４】
2018037418.tif 000006
【図５】
2018037418.tif 000007
【図６】
2018037418.tif 000008
【図７】
2018037418.tif 000009
【図８】
2018037418.tif 000010
【図９】
2018037418.tif 000011
【図１０】
2018037418.tif 000012
【図１１】
2018037418.tif 000013
【図１２】
2018037418.tif 000014
【図１３】
2018037418.tif 000015
【図１４】
2018037418.tif 000016
【図１５】
2018037418.tif 000017
【図１６】
2018037418.tif 000018
【図１７】
2018037418.tif 000019
【図１８】
2018037418.tif 000020